(57)【要約】【課題】チャック駆幹体（２）の軸方向根元側の端部に、ドリリング機械のドリリングスピンドルを受け入れる受入部（８）を備えたドリルチャックについて、低コストで製造可能な形態・形状とする。【解決手段】チャック駆幹体（２）中に案内される締付あご（４）の位置・姿勢をシフトさせるのに役立つ締付スリーブ（７）を備え、チャック駆幹体（２）の受入部（８）には、アダプタ体（９）が、差し込み可能であってトルクを伝達可能に連結可能である。また、アダプタ体（９）は、ドリリングスピンドルと取り外し可能に接続すべく、アダプタ内受入部（１０）を備える。このアダプタ内受入部（１０）の壁部（１１）には、インターロック解除スリーブ（１２）により位置・姿勢をシフト可能な少なくとも一つの掛け止め部材（１３）が備えられる。【選択図】図３
2015212008.tif 000002
【特許請求の範囲】
【請求項１】
軸方向根元側の端部に受入部（８）を備えるチャック駆幹体（２）と、
チャック駆幹体（２）に対して軸方向に位置・姿勢をシフト可能な締付あご（４）と、
締付あご（４）の位置・姿勢をシフトさせるのに役立つ締付スリーブ（７）とを備えたドリルチャックにおいて、
アダプタ体（９）及びインターロック解除スリーブ（１２）が備えられ、
チャック駆幹体（２）の受入部（８）には、アダプタ体（９）が、差し込み可能であってトルクを伝達可能に連結可能であり、
アダプタ体（９）には、ドリリング機械のドリリングスピンドルと取り外し可能に接続すべく、アダプタ内受入部（１０）が備えられ、
アダプタ内受入部（１０）の壁部（１１）には、インターロック解除スリーブ（１２）により位置・姿勢をシフト可能な少なくとも一つの掛け止め部材（１３）が備えられることを特徴とするドリルチャック。
【請求項２】
駆動伝達用差し込み部（１６）が備えられ、
チャック駆幹体（２）とアダプタ体（９）とは、ネジ切部同士の接続により接続可能であり、
ネジ切部の押し広げによりネジ切部同士を密着させて、ドリリングスピンドルのトルクを伝達すべく、アダプタ体（９）中には、ネジ切部同士の接続が形成された後に、駆動伝達用差し込み部（１６）を押し込んで嵌め込むことができることを特徴とする請求項１に記載のドリルチャック。
【請求項３】
駆動伝達用差し込み部（１６）は、非円形の横断面を有し、軸方向根元側の部分が、これより径の大きいアダプタ内受入部（１０）中へと突き出していることを特徴とする請求項２に記載のドリルチャック。
【請求項４】
インターロック解除スリーブ（１２）の内周面には、掛け止めボールとして形成された掛け止め部材（１３）に突き当てられて作用を行うための切替・調整カム部（１４）が備えられ、
押し・引き戻しバネ（１５）がインターロック解除スリーブ（１２）に対して軸方向にバネ力を加えていることを特徴とする請求項１〜３のいずれかに記載のドリルチャック。
【請求項５】
押し・引き戻しバネ（１５）は、アダプタ体（９）がチャック駆幹体（２）に接続されている際に、締付スリーブ（７）により支持されていることを特徴とする請求項４に記載のドリルチャック。
【発明の詳細な説明】
【技術分野】
【０００１】
本発明は、チャック駆幹体を備えるドリルチャックに関する。
【背景技術】
【０００２】
チャック駆幹体における軸方向根元側（後方）の端部には、受入部が備えられる。また、ドリルチャックには、チャック軸に対する位置・姿勢をシフト可能な複数の締付あごと、これら締付あごの位置・姿勢（位置及び姿勢の少なくとも一方、以下同様）をシフトさせるのに役立つ締付スリーブとが備えられる。
【０００３】
このような種類のドリルチャックは、実際に実施されている技術により、また、現在の先行技術体系により知られており、例えばヨーロッパ特許出願公開EP0710518A1により公知となっている。さらに、ドイツ特許出願公開DE10151581B4により、次のようなドリルチャックが知られている。すなわち、ドリルチャックにおける軸方向根元側の端部には、非円形の断面を有するピンが取り付けられている。このようであることにより、容易に、ドリリング機械のドリリングスピンドルを相対回転不能に連結することができる。この連結は、解除可能であるので、ドリルチャックの取替えを、迅速に行うことができる。この取替えの際、ドリリング機械に備え付けられたインターロック解除スリーブの位置・姿勢をシフトさせる。
【先行技術文献】
【特許文献】
【０００４】
【特許文献１】ヨーロッパ特許出願公開EP0710518A1
【特許文献２】ドイツ特許出願公開DE10151581B4
【発明の概要】
【発明が解決しようとする課題】
【０００５】
このようなドリルチャックに必要なチャック駆幹体は、特殊な製造設備・製造工程によって得られる製品である。このことは、高いコストにつながる。というのは、特には、チャック駆幹体の軸方向の長さが大きくなり、これにより、材料の使用量を増大させる必要があるからである。
【０００６】
本発明の課題は、導入部で述べたようなドリルチャックについて、低コストでドリルチャックを製造可能な形態・形状とすることにある。
【課題を解決するための手段】
【０００７】
上記課題は、導入部で述べたようなドリルチャックにおいて、次のようであることにより解決される。チャック駆幹体の軸方向根元側の端部にある受入部に、アダプタ体が、差し込み可能であり、トルクを伝達するように連結可能である。このアダプタ体には、ドリリング機械のドリリングスピンドルに解除可能に連結すべく、アダプタ内受入部が備えられるとともに、インターロック解除スリーブによって位置・姿勢をシフト可能な掛け止め部が、アダプタ内受入部の壁部に、特には、アダプタ内受入部をなすスリーブ壁中に備えられる。
【０００８】
このような実施形態であると、次のような利点が得られる。ドリルチャックを、連続条件もしくは大量生産条件下で、製造し、組み付け、また、磨き上げることができる。また、迅速な取替え特性を実現するためには、アダプタ体は、従前からの通常のチャック駆幹体におけるドリリングスピンドル用受入部に差し込み可能とすることができる。
【図面の簡単な説明】
【０００９】
【図１】アダプタ体とチャック駆幹体とを接続する前における、本発明にしたがうドリルチャックの軸方向半断面・半側面図である。
【図２】アダプタ体とチャック駆幹体とを接続した後における、図１のドリルチャックの軸方向半断面・半側面図である。
【図３】図１に示される各部材について、アダプタ体とチャック駆幹体との接続前の状態にて示す部分断面斜視図である。
【図４】図２のとおりの接続後の状態にて示す、図３と同様の部分断面斜視図である。
【発明を実施するための形態】
【００１０】
本発明の枠内において、次のようであるならば好ましい。チャック駆幹体とアダプタ体とを、ネジ接続により接続可能である。また、ネジ接続の形成後に、アダプタ体中に押し込み・嵌め込み可能な駆動伝達用差し込み部が備えられる。この駆動伝達用差し込み部は、ネジ切部を押し広げて互いに密着させ、ドリリングスピンドルからのトルク伝達を行うためのものである。
【００１１】
このネジ接続は、非常に低コストで形成し実現することができる。また、本発明のドリルチャックにおける、チャック駆幹体とアダプタ体との、所望の、緩むことのない接続が、駆動伝達用差し込み部により形成される。駆動伝達用差し込み部は、アダプタ内受入部に押し込まれる際、アダプタ体及びチャック駆幹体における、互いに噛み合っているネジ切部のねじ山を押し広げて、これらねじ山同士を、かしめ状に密着させることとなる。具体的な実施形態において、ロッド状の駆動伝達用差し込み部が、アダプタ内受入部のチャック先端側にある径の小さい部分に押し込まれる。
【００１２】
ドリリング機械のスピンドルに連結するためには、駆動伝達用差し込み部は、横断面が非円形に形成されており、チャック根元側の部分が、アダプタ内受入部のチャック根元側にある径の広い部分中へと突き出しているならば好ましい。
【００１３】
本発明にしたがうドリルチャックは、次のようであれば、取り扱いがさらに容易になる。まず、インターロック解除スリーブの内周面に、切替・調整用カム部が設けられる。すなわち、掛け止め部材の位置・姿勢、及びこれによる掛け止め状態と、非掛け止め状態との間の切替などを行うためのカム部が設けられる。特に、この切替・調整用カム部は、掛け止めボールとして形成された掛け止め部材に、突き当てられて作用を行うためのものである。また、引き・押し戻しバネ、すなわち引き戻しまた押し戻しを行うためのバネが、インターロック解除スリーブに対して軸方向にバネ力を加える。
【００１４】
また、引き・押し戻しバネは、チャック駆幹体にアダプタ体が接続された際、締付スリーブにより支持されている。
【００１５】
次に、図面に示されている実施例を参照しつつ、本発明について詳しく説明する。
【００１６】
図１には、ドリルチャック１が示されている。このドリルチャック１にチャック駆幹体２が備えられ、このチャック駆幹体２には、チャック軸３に対して傾いた方向に延びる複数の案内受入部が備えられる。これら案内受入部中には、複数の締付あご４が、案内受入部に沿って押し・引き動かしが可能に案内されている。これら締付あご４は、ドリルチャックの半径方向における外側の箇所に、歯列５を備える。この歯列５は、ネジ切リング６の締付ネジ切部に噛み合うためのものである。このネジ切リング６は、締付あご４の位置・姿勢をシフトさせるのに役立つ締付スリーブ７に、回転不能に連結されている。図示の実施形態において、本発明の枠内にて、締付スリーブ７とネジ切リング６とを一体に設けることもできる。というのは、軸方向先端側（ドリルチャックの先端側ないし前方）から、チャック駆幹体２に、締付スリーブ７を取り付けて、スナップリングやバネ座金などの、保持リングやリングバネにより固定することができるからである。
【００１７】
チャック駆幹体２には、その、軸方向根元側（後方）の端部に、受入部８が備えられる。この受入部８中には、アダプタ体９を差し込むことができ、トルクを伝達可能なように連結することができる。すなわち、アダプタ体９における軸方向先端側（前方）の端部に設けられた外向きネジ切部と、チャック駆幹体２の受入部８中に設けられた内向きネジ切部とによる、ネジ切部同士の接続により連結することができる。アダプタ体９には、ドリリング機械のドリリングスピンドルに解除可能に接続すべく、アダプタ内受入部１０が備えられ、このアダプタ内受入部１０をなすスリーブ状の壁部１１には、インターロック解除スリーブ１２により位置・姿勢をシフト可能な少なくとも一つの掛け止め部材１３が備えられる。インターロック解除スリーブ１２の内周面には、掛け止めボールとして設けられた掛け止め部材１３に突き当てられて作用を行うべく、切替・調整用カム部１４が設けられる。さらには、引き・押し戻しバネ１５が存在する。この引き・押し戻しバネ１５は、インターロック解除スリーブ１２に対し軸方向にバネ力を加えるものであり、チャック駆幹体２がアダプタ体９に接続された状態では、締付スリーブ７により支持される。なお、チャック駆幹体２と、アダプタ体９との間では、上述したように、ネジ切部同士の接続がなされる。
【００１８】
図示の具体的な実施形態において、インターロック解除スリーブ１２は、引き・押し戻しバネ１５のバネ力に逆らって、軸方向にチャック先端側へとシフト可能である。すなわち、インターロック解除スリーブ１２を手でつかんで、締付スリーブ１２の側へと動かすことができる。このように動かすことで、掛け止め部材を通じたドリリングスピンドルに対する掛け止めを解除することができる。また、図示の具体例において、切替・調整用カム部１４は、掛け止めボール１３を部分的に受け入れる凹部として設けられている。そのため、インターロック解除スリーブ１２をチャック先端側へと引き動かした際には、掛け止めボール１３が半径方向外側へと移動可能となり、ドリリングスピンドルから、ドリルチャックを引き離し可能となる。なお、インターロック解除スリーブ１２は、チャックの締付またはその解除を行うべく締付スリーブ７を回転させた際に、締付スリーブ7とともに回転するようにすることができ、そのため、図示の実施例では、切替・調整用カム部１４が周方向に延びる溝として設けられる。
【００１９】
駆動伝達用差し込み部１６は、ロッド状であり、チャック先端側の部分を、スリーブ状のアダプタ体９中に押し込んで嵌め込むことができる。すなわち、アダプタ体９のチャック先端側にある小径部、すなわち、外周面にネジ切部を設けた部分に、駆動伝達用差し込み部１６のチャック先端側の部分を押し込んで嵌め込むことができる。この押し込み及び嵌め込みにより、チャック駆幹体２と、アダプタ体９との間のネジ切部は、押し広げられて、互いに密着状態となる。駆動伝達用差し込み部１６は、横断面が非円形をなし、図示の実施例では、横断面が六角形、特には正六角形をなす。また、駆動伝達用差し込み部１６は、チャック根元側の部分が、アダプタ内受入部１０中にて、チャック根元側への突き出し状となっている。すなわち、アダプタ内受入部１０のチャック根元側にある大径部中に、これより径の小さいロッド状の駆動伝達用差し込み部１６が突き出す形となっている。すなわち、駆動伝達用差し込み部１６のチャック根元側部分と、アダプタ内受入部１０の内周面との間に筒状の受入部が形成されている。このように、駆動伝達用差し込み部１６の根元側部分がアダプタ内受入部１０中にて突き出し状となっていることにより、駆動伝達用差し込み部１６とぴったり一致する形状に設けられたドリリングスピンドルを、嵌め合わせることができるようになっている。このドリリングスピンドルの外周面には、周方向に延びる溝または凹部が備えられ、この溝または凹部の中に、掛け止めボールを押し込むことができる。
【００２０】
図示の例において、ドリリングスピンドルには、横断面が正六角形である差し込み凹部が、チャック軸３及び駆動伝達用差し込み部１６の中心軸に共軸に設けられており、ドリリングスピンドルをアダプタ内受入部１０に差し込んだ際には、駆動伝達用差し込み部１６のチャック後端部が、ドリリングスピンドルの差し込み凹部に嵌め込まれて、駆動伝達を行う。一方、ドリリングスピンドルの凹部及び駆動伝達用差し込み部１６の断面形状は、四角形、長円形、六角星型などであっても良い。また、ドリリングスピンドルの外周面に設けられる溝または凹部は、全周にわたって延びる溝状であっても良く、また、掛け止めボールの形状に対応する湾入状の凹部が、周方向に複数設けられるのであっても良い。なお、図示の例において、駆動伝達用差し込み部１６のチャック根元側の端部は、アダプタ内受入部１０のチャック根元側の入口よりも、チャック先端側に位置する。これらのことにより、アダプタ内受入部１０と、駆動伝達用差し込み部１６との間には、切替・調整用カム部１４及びこれに対応する溝または凹部を除き、ドリリングスピンドルの先端部の輪郭形状にぴったりと一致する受入空間が形成されている。他方、場合によっては、チャック先端側から工具をあてがい、駆動伝達用差し込み部１６をチャック根元側へと押し出してから、チャック駆幹体２とアダプタ体９との接続を解除することもできる。
【符号の説明】
【００２１】
１…ドリルチャック；    ２…チャック駆幹体；    ３…チャック軸；  
４…締付あご；    ５…歯列；    ６…ネジ切リング；  
７…締付スリーブ；    ８…チャック駆幹体の受入部；  
９…アダプタ体；    １０…アダプタ内受入部；  
１１…アダプタ内受入部をなすスリーブ壁；  
１２…インターロック解除スリーブ；  １３…掛け止め部材；  
１４…切替・調整用カム部；    １５…引き・押し戻しバネ；    
１６…駆動伝達用差し込み部  
【図１】
2015212008.tif 000003
【図２】
2015212008.tif 000004
【図３】
2015212008.tif 000005
【図４】
2015212008.tif 000006